(57)【要約】【課題】画像形成済み用紙が排出される排出部を胴内に設けた画像形成装置に組み込まれ、排出部から排出された用紙を受け入れ、所定の後処理を施して排出する用紙後処理装置において、ジャム処理の作業性を向上させることを目的とする。【解決手段】用紙後処理装置２００は、胴内に固定される固定部２０１と、固定部２０１に脱着可能に構成されて胴内から取り外し可能な脱着部２０２とを備えて構成する。その脱着部２０２は、脱着部２０２を胴内から取り外した際に、少なくとも排出部１６３まわりが露出可能な構成部を一体化する。する。【選択図】図２
2014130271.tif 000002
【特許請求の範囲】
【請求項１】
画像形成済み用紙が排出される排出部を胴内に設けた画像形成装置に組み込まれ、前記排出部から排出された前記用紙を受け入れ、所定の後処理を施して排出する用紙後処理装置であって、
前記胴内に固定される固定部と、前記固定部に脱着可能に構成されて前記胴内から取り外し可能な脱着部とを備え、
前記脱着部は、前記脱着部を前記胴内から取り外した際に、少なくとも前記排出部まわりを露出可能に構成したこと
を特徴とする用紙後処理装置。
【請求項２】
前記排出部は、前記用紙を水平方向または略水平方向に排出可能に構成され、
当該用紙後処理装置は、
前記用紙の上側を案内して前記用紙を搬送させる上側機構部と、
前記用紙の下側を案内して前記用紙を搬送させる下側機構部と、
前記上側機構部と前記下側機構部とで搬送された前記用紙を一時的に積載させるステープルトレイと、
前記ステープルトレイに積載された前記用紙にステープル処理を施すステープラと、
前記ステープラでステープル処理された前記用紙が前記上側機構部と前記下側機構部とで搬送されて排出される排出トレイとを備えて構成され、
前記固定部は、前記上側機構部と、前記ステープラとを備え、
前記脱着部は、前記下側機構部と、前記ステープルトレイと、前記排出トレイとを備えてなること
を特徴とする請求項１に記載の用紙後処理装置。
【請求項３】
前記固定部は、前記上側機構部と前記下側機構部を駆動させる駆動部を備え、
前記下側機構部は、前記駆動部から離脱可能に構成されていること
を特徴とする請求項２に記載の用紙後処理装置。
【請求項４】
前記駆動部は、前記脱着部の取り外し方向と、平面視、直交する方向の一方側に設けられていること
を特徴する請求項３に記載の用紙後処理装置。
【請求項５】
前記画像形成装置に対し前記脱着部を脱着可能に接続するロック部を備えていること
を特徴する請求項１乃至４の何れか１項に記載の用紙後処理装置。
【請求項６】
請求項１乃至５の何れか１項に記載の用紙後処理装置と、前記画像形成装置とを備えた画像形成システム。
【請求項７】
前記画像形成装置と前記脱着部は、前記胴内から取り外した前記脱着部を前記画像形成装置に保持可能に構成されていること
を特徴する請求項７に記載の画像形成システム。
【発明の詳細な説明】
【技術分野】
【０００１】
本発明は、電子写真方式の画像形成装置の胴内に組み込まれる用紙後処理装置と、その用紙後処理装置を備えた画像形成システムに関する。
【背景技術】
【０００２】
従来から、電子写真方式の画像形成装置から排出されてきた用紙を一時的に載せておくステープルトレイと、そのステープルトレイに排出された複数枚の用紙にステープル処理を施すステープルユニットとを備えた用紙後処理装置がある。
【０００３】
さらに、この用紙後処理装置は、画像形成装置に併設されるタイプと、画像形成装置の胴内に組み込まれるタイプのものがある。
特に、後者のタイプは、前者のタイプと比較して省スペースであるものの、画像形成装置の排出部まわりのジャム処理（紙詰まり処理）の際、用紙後処理装置が邪魔してジャム処理がし辛い虞がある。
【０００４】
そこで、用紙後処理装置を、画像形成装置本体に対し、用紙の排紙方向に所定距離だけスライド移動可能に設けたものが提案されている。
ジャム処理を行なうときは、用紙後処理装置を用紙の排紙方向に、所定距離だけスライドさせる。これにより、用紙後処理装置と画像形成装置本体との接続部分が引き離され、画像形成装置本体の外方から画像形成装置本体の胴内に通じる空間が形成される。
用紙後処理装置と画像形成装置本体との間に空間を確保したら、その空間から手を差し入れて、画像形成装置本体側のガイド板等を開いて（または外して）、用紙が排出される排出部まわりに目詰まりした用紙を取り除く（例えば特許文献１参照）。
【０００５】
なお、原稿を光学的に読み取る画像読取装置を画像形成装置本体の上に設置した画像形成装置で、例えば、以下のものが知られている。
その画像形成装置は、シートを搬送する中継搬送装置を上側機構と下側機構とに分け、上側機構を画像読取装置の下方に設け、下側機構を画像形成装置本体の上面部に設けている。さらに上側機構と下側機構はヒンジを介して接続されており、そのヒンジを介して上側機構が上下方向に開閉可能になっている。そして、この画像形成装置は、画像読取装置と上側機構を開くことで、ジャム処理を行なう（例えば特許文献２参照）。
しかしながら、画像品質に直接影響のある構成部の一つである画像読取装置全体を開閉すると、開閉時の振動により、読み取り光軸がずれて正常な画像の読み取りができない虞が極めて大きい。したがって、画像読取装置の精度を維持するための何らかの技術的手段を講じる必要がある。このことは、用紙後処理装置も同様である。後処理精度を担保するためには、画像形成装置に対し用紙後処理装置を開閉可能な構造にすることは好ましいことではない。
【発明の概要】
【発明が解決しようとする課題】
【０００６】
上述した特許文献１に記載されたスライド方式の用紙後処理装置は、ジャム処理がし易くなった好適なものである。しかしながら、現状の構造に満足せずに、ジャム処理を更にし易くすることは、技術的に極めて有意義なことである。
本発明の目的は、ジャム処理を更にし易くした用紙後処理装置、画像形成システムを提供することである。
【課題を解決するための手段】
【０００７】
上記課題を解決するために、本発明にかかる用紙後処理装置は、画像形成済み用紙が排出される排出部を胴内に設けた画像形成装置に組み込まれ、前記排出部から排出された前記用紙を受け入れ、所定の後処理を施して排出する用紙後処理装置であって、前記胴内に固定される固定部と、前記固定部に脱着可能に構成されて前記胴内から取り外し可能な脱着部とを備え、前記脱着部は、前記脱着部を前記胴内から取り外した際に、少なくとも前記排出部まわりを露出可能に構成したことを特徴とする。
【発明の効果】
【０００８】
本発明によれば、ジャム処理の際、脱着部を胴内から取り外すことで、少なくとも排出部まわりが露出するから、ジャム処理が更にし易くなることが期待できる。しかも、用紙後処理装置の全体を取り外す場合と比較して重量的に軽減されるから、作業性の向上が期待できる。
【図面の簡単な説明】
【０００９】
【図１】本実施の形態にかかる画像形成システムの正面側から見た模式的な透視図である。
【図２】要部の正面図である。
【図３】要部の左側面図である。
【図４】脱着部の正面図である。
【図５】脱着部の左側面図である。
【図６】脱着部の平面図である。
【図７】図６におけるＸ部の拡大した断面図である。
【図８】図２において脱着部を取り外した状態の正面図である。
【図９】図３において脱着部を取り外した状態の左側面図である。
【図１０】ジャム処理時の状態を模式的に示した説明図である。
【発明を実施するための形態】
【００１０】
本発明にかかる用紙後処理装置を画像形成装置の胴内に設けた画像形成システムの実施の形態を、図面を参照しながら説明する。図１は、本実施の形態にかかる画像形成システムの正面側から見た模式的な透視図である。
本実施の形態にかかる画像形成システムＡは、図１に示すように、画像読み取り装置３００を備えた電子写真方式の画像形成装置１００と、用紙後処理装置２００とを備えて構成される。
【００１１】
画像形成にかかる構成部が収められる画像形成装置１００の筐体は、図１において左側面側と、正面側（図１おいて奥行き方向手前側）の角部でその上部が、水平方向に向かって大きく抉られるように形成されている。その抉られた部位に、用紙後処理装置２００の主だった構成部が収められている。また、画像形成装置１００の筐体の頂面に画像読み取り装置３００が設置されている。
ここで、筐体における抉られた部位を含めて筐体の内部（筐体の最も外側の側壁より内方）を「胴内」と呼称する。
【００１２】
上述した構成部は、図１において、ほぼ中央部に配置されたプロセスユニット１１０、このプロセスユニット１１０の下方に隣接して設けられ、プロセスユニット１１０の一構成部材である感光ドラムに潜像を書き込む光書き込み部１１１、光書き込み部１１１の下方に設けられた給紙部１２０、プロセスユニット１１０より上方に設けられた定着部１５０、給紙部１２０でピックアップされた用紙を中間転写部１４０及び定着部１５０に搬送する給紙搬送路（縦搬送路）１３０、トナー像が定着された用紙を用紙後処理装置２００側に搬送する排出搬送路１６０、一面に画像が形成された用紙を反転し、他面に画像形成させるための両面搬送路１７０、プロセスユニット１１０の上方に横方向に延びるように且つ反時計回りに回転可能に架け渡された中間転写ベルト１１２、その中間転写ベルト１１２の内側にプロセスユニット１１０と対向するように設けられた１次転写ローラ、画像形成済み用紙が排出される排出部１６３を備える。
【００１３】
夫々のプロセスユニット１１０は、潜像及びトナー像が形成される感光ドラムと、この感光ドラムの外周に沿って配置され、感光ドラムを一様に帯電させる帯電部、光書き込み部１１１で感光ドラムに形成された潜像をトナー像に現像させる現像部、感光ドラム上の転写残トナー紙粉を清掃するクリーニング部、感光ドラムを除電して次の画像形成に備える除電部とを備える。この４つのプロセスユニット１１０は、イエロートナー像を形成させるイエロートナー像用、マゼンタトナー像を形成させるマゼンタトナー像用、シアントナー像を形成させるシアントナー像用、黒トナー像を形成させる黒トナー像用からなる。
【００１４】
中間転写ベルト１１２は、複数の支持ローラによって反時計回りに回転可能に支持されている。そのうちの１つの支持ローラ１１４は、中間転写部１４０で中間転写ベルト１１２を介して２次転写ローラ１１５と対向し、中間転写ベルト１１２上の画像を用紙に２次転写できるようになっている。
【００１５】
給紙部１２０は、給紙トレイ１２１、ピックアップローラ１２２、給紙搬送ローラ１２３を備えて構成され、給紙トレイ１２１からピックアップした用紙を縦搬送路１３０に沿って上方に送り出すようになっている。この送り出された用紙は、中間転写部１４０で画像が転写され、定着部１５０に送られる。
【００１６】
定着部１５０は、加熱ローラとその加熱ローラに連れ回り可能に押し当てた加圧ローラを備え、その両者間の押し当て部位であるニップに用紙が通過する過程で、加熱及び加圧が行われ、トナー像が用紙に溶融・固化して定着される。
【００１７】
定着部１５０より搬送下流には、排出搬送路１６０と両面搬送路１７０が設けられている。この両者の搬送路は、分岐爪１６１を境にして２方向に分岐し、分岐爪１６１の振り分けにより、用紙後処理装置２００側である排出部に搬送されたり、両面搬送路１７０に搬送されたりする。なお、分岐爪１６１の用紙搬送方向上流側の直近には分岐搬送ローラ１６２が設けられ、用紙へ搬送力を付与している。
【００１８】
排出部１６３は、排出搬送路１６０の終端側（胴内）に設けられ、画像形成済み用紙を、筐体における抉られた部位（胴内）に向かって、水平方向または略水平方向に排出する一対の排出ローラ２２２からなる。
【００１９】
画像読み取り装置３００は、コンタクトガラス上にセットされた原稿を光走査して原稿面の画像を読み取って印刷データを生成するようになっている。画像形成装置１００は、この印刷データに基づいて用紙に画像を形成したり、画像形成装置１００と電気的に接続された外部機器からの印刷データに基づいて用紙に画像を形成したりする。
【００２０】
次に、画像形成装置１００の一連の動作の概略を、図１を参照しながら説明する。
先ず、画像読み取り装置３００から読み取られた原稿データあるいは外部機器から送信された原稿データに基づいて、書き込みに使用する画像データを生成し、その画像データに基づいて光書き込みユニットから各感光ドラムに対して光書き込みを行い、色毎に形成したトナー像が中間転写ベルト１１２に順次重なるように転写する。
【００２１】
これと前後して、給紙トレイ１２１から画像形成に応じて用紙を送り出す。用紙は、中間転写部１４０の直前の図示しないレジストローラにより一旦停止し、中間転写ベルト１１２上の画像先端とタイミングと合わせて送り出す。中間転写部１４０で中間転写ベルト１１２上のトナー像が送り出された用紙に２次転写され、定着部１５０へと送り込まれる。そして、定着部１５０がトナー像を用紙に定着する。
【００２２】
片面印刷の場合及び両面印刷の場合で用紙の裏面印刷後の場合は、分岐爪１６１の切り替え動作により排出搬送路１６０側へ用紙を搬送する。両面印刷の場合で用紙の表面印刷後の場合は、両面搬送路１７０側へ用紙を搬送する。用紙が両面搬送路１７０に搬送された場合、その用紙は、反転後、中間転写部１４０に送り込まれて、用紙の裏面に画像が形成される。その後、排出搬送路１６０側に搬送される。
【００２３】
排出搬送路１６０側に搬送された画像形成済みの用紙は、排出部１６３を介して、後述する用紙後処理装置２００に搬送され、用紙後処理装置２００で所定の用紙処理を施し、あるいは、処理なしで排出トレイ２１８に排出される。
【００２４】
次に、用紙後処理装置２００を説明する。
この用紙後処理装置２００は、画像形成済み用紙が排出される排出部１６３を胴内に設けた画像形成装置に組み込まれ、排出部１６３から排出された画像形成済み用紙を受け入れ、所定の後処理を施して排出トレイ２１８に排出するものである。以下、図２〜図７を参照しながら、用紙後処理装置２００の構成を詳述する。
【００２５】
図２は、要部の正面図である。図３は要部の左側面図である。図４は脱着部２０２の正面図である。図５は脱着部２０２の左側面図である。図６は脱着部２０２の平面図である。図７は図６におけるＸ部の拡大した断面図である。
【００２６】
この用紙後処理装置２００は、胴内に固定される固定部２０１と、固定部２０１に脱着可能に構成されて胴内から取り外し可能な脱着部２０２とを備えて構成される。
固定部２０１は、パンチユニット２０３と、ステープラ２０４と、駆動部２０５と、上側機構部２０６とを備える。
【００２７】
パンチユニット２０３は、搬送中の画像形成済みの用紙に穿孔処理を行なうもので、排出部１６３の位置より用紙搬送方向下流側に設けられている。
ステープラ２０４は、後述するステープルトレイ２１７に積載された画像形成済みの用紙束にステープル処理（針で用紙を綴じる）を行なうもので、筐体における抉られた部位（胴内）に、用紙幅方向（図２の奥行き方向）へ移動可能に設けられている。
【００２８】
駆動部２０５は、上側機構部２０６と下側機構部２１６を駆動させるもので、モータやソレノイド、歯車やベルト等で構成される。この駆動部２０５は、図３に示すように、筐体における抉られた部位より装置内側（図３の左方）に設けられている。換言すれば、この駆動部２０５は、後述する脱着部２０２の取り外し方向と、平面視、直交する方向の一方側（図６）に設けられている。
【００２９】
また、この駆動部２０５は、図２に示すように、下側機構部２１６の従動歯車２２３、２２４と噛み合わせる駆動歯車２０８、２０９を備えている。その駆動歯車２０８、２０９は、筐体における抉られた部位の、後述する脱着部２０２の取り外し取り付け方向（用紙搬送方向）と、平面視、直交する方向の側壁２１０から突き出るように設けられている。また、その側壁２１０には、後述する下側機構部２１６の従動歯車２２３、２２４を通すための溝２０７が形成されている。
【００３０】
上側機構部２０６は、用紙の上側を案内して画像形成済みの用紙を搬送させるものであり、パンチユニット２０３の位置より用紙搬送方向下流側に設けられた第一の上ローラ２１１と、その第一の上ローラ２１１の位置より用紙搬送方向下流側に設けられた第二の上ローラ２１２と、その第二の上ローラ２１２の下方に設けられ上下方向に揺動可能な第一の戻しローラ２１３と、第二の上ローラ２１２の位置より用紙搬送方向下流側に設けられ上下方向に揺動可能な第二の戻しローラ２１４と、その第二の戻しローラ２１４の位置より用紙搬送方向下流側に設けられ上下方向に揺動可能な従動ローラ２１５とを備える。
このうち、第一の上ローラ２１１と、第二の上ローラ２１２と、第一の戻しローラ２１３と、第二の戻しローラ２１４は、それぞれの軸を介して駆動部２０５と接続されて駆動される。
【００３１】
脱着部２０２は、画像形成装置の胴内から取り外した際に、少なくとも排出部１６３まわりが露出可能な構成部を一体化しており、下側機構部２１６と、ステープルトレイ２１７と、排出トレイ２１８とを備えてなる。
【００３２】
下側機構部２１６は、用紙の下側を案内して上側機構部２０６と共に画像形成済みの用紙を搬送させるものであり、図４に示すように、正面視、二段の階段状に形成された中空の支持枠２１９の上段側頂面の略中央に設けられ、第一の上ローラ２１１に対向した第一の下ローラ２２０と、その第一の下ローラ２２０の位置より用紙搬送方向下流側で上段側頂面に設けられ、第二の上ローラ２１２に対向した第二の下ローラ２２１と、支持枠２１９の下段側頂面の左端部側に設けられ、従動ローラ２１５と対向した排出ローラ２２２とを備える。
【００３３】
このうち、第一の下ローラ２２０と第二の下ローラ２２１は従動ローラである。排出ローラ２２２は、当該排出ローラ２２２を支持する軸に上述した従動歯車２２３が取り付けられており、この従動歯車２２３が、駆動部２０５により回転する駆動歯車２０８に噛み合うことにより回転駆動される。
【００３４】
また、支持枠２１９の上段側頂面は、用紙を案内させる下側ガイド板２２５で構成されており、その下側ガイド板２２５は、用紙搬送方向の上流側と下流側の双方が用紙搬送方向に張り出すように形成される。その下側ガイド板２２５の右端側には、パンチユニット２０３と対向させるパンチカス収集用容器２２６が設けられている。なお、画像形成装置１００には、下側ガイド板２２５と対向する上側ガイド板１０３が設けられている。
【００３５】
なお、支持枠２１９の上段側の、用紙搬送方向上流側の側面は開口しており、脱着部２０２を胴内から取り外す際や、脱着部２０２を胴内に取り付ける際に、固定部２０１と干渉しないようになっている。また、上段側の、用紙搬送方向下流側の側面も開口しており、支持枠２１９の上段内に位置するステープラ２０４へ用紙が入り込むようになっている。また、側壁２１０と対向する支持枠２１９の側面には、第二の戻しローラ２１４の支軸を通すための長穴２２７が形成されている。
【００３６】
また、支持枠２１９の、排出ローラ２２２の下方には、支持枠２１９の下段側の左側面から出没可能で、且つ、用紙搬送方向に揺動可能な用紙押さえ２２８が設けられている。この用紙押さえ２２８は、排出ローラ２２２と同様に、当該用紙押さえ２２８を支持する軸に従動歯車２２４が取り付けられており、この従動歯車２２４が、駆動部２０５により回転する駆動歯車２０９に噛み合うことにより駆動される。
【００３７】
ステープルトレイ２１７は、上側機構部２０６と下側機構部２１６とで搬送された用紙を一時的に積載させるもので、支持枠２１９の下段側頂部に取り付けられている。また、ステープルトレイ２１７の上面には、図４〜図６に示すように、用紙の幅方向の移動を規制させる一対のジョガーフェンス２２９と、用紙の、用紙搬送方向の位置決めを行なう後端基準フェンス２３０が設けられている。
【００３８】
排出トレイ２１８は、支持枠２１９の下段側の左側面下部から装置の外方に向かって上向いて延びる板状部材からなり、上側機構部２０６と下側機構部２１６とで搬送された用紙が積載される。
【００３９】
また、図２、図６、図７に示すように、画像形成装置１００に対し脱着部２０２を脱着可能に接続するロック部２３１を備えている。このロック部２３１は、掛け止め部２３２と、被掛け止め部２３３とで構成される。
【００４０】
掛け止め部２３２は、図６、図７に示すように、支点部２３４と、ロック解除ボタン２３５と、ロックレバー２３６と、圧縮バネ２３７とを備える。
【００４１】
支点部２３４は、板状に形成され、支持枠２１９の正面側側壁の、用紙搬送方向の上流側端部の裏面から張り出すように設けられている。
ロック解除ボタン２３５は、その支点部２３４の近くの、正面側側壁に開口した第一の穴２３８から突き出るように、且つ、第一のピン２３９を介して揺動可能に支点部２３４に支持されている。また、このロック解除ボタン２３５は、支持枠２１９の正面側側壁の裏面に当てる当て部２４０が設けられている。
【００４２】
ロックレバー２３６は、支持枠２１９の外方側となる先部が支持枠２１９の内方（図７の上方）に突き出た鉤状に形成された角棒状部材であり、第一のピン２３９の位置より支持枠２１９の内方側に位置する第二のピン２４１を介して揺動可能に支点部２３４に支持されている。また、ロックレバー２３６の先部は、鉤曲がりした側の側面が傾斜して先鋭状になっている。
【００４３】
圧縮バネ２３７は、ロックレバー２３６の基部の位置より支持枠２１９の内方側で固定するように設けられた台座部２４２とロックレバー２３６の基部とに掛け渡されており、図７において、ロックレバー２３６を反時計回り方向に押し付けている。これにより、ロックレバー２３６を介してロック解除ボタン２３５が反時計回り方向に押し付けられている。
【００４４】
また、ロック解除ボタン２３５の当て部２４０が、圧縮バネ２３７の弾発力により支持枠２１９の正面側側壁の裏面に当たった状態を維持することで、ロックレバー２３６とロック解除ボタン２３５は所定の位置に留まる。本実施の形態では、ロックレバー２３６が、支持枠２１９の正面側側壁と平行、または略平行の位置に留まるようになっている。
【００４５】
被掛け止め部２３３は、画像形成装置１００の筐体の、鉤状に形成されたロックレバー２３６の先部と対応する位置に設けられた第二の穴１０１と、画像形成装置１００の筐体内に設けられ、その第二の穴１０１を介して挿入されたロックレバー２３６の先部を引っ掛ける鉤状の先部が形成された被ロック体１０２とを備える。また、被ロック体１０２の先部は、鉤曲がりした側の側面（ロックレバー２３６と対向する側の側面）が傾斜して先鋭状になっている。
【００４６】
このように構成されたロック部２３１は、画像形成装置１００の筐体における抉られた部位（胴内）に対し、支持枠２１９（脱着部２０２）を用紙搬送方向の上流側に向かって押し込むことで、ロックレバー２３６の先部の傾斜面と被ロック体１０２の先部の傾斜面とが当たる。さらに支持枠２１９（脱着部２０２）を押し込むことで、ロックレバー２３６がその傾斜面の角度でもって時計回りに回転しながら、ロックレバー２３６の先部が被ロック体１０２の先部を乗り越えていく。
【００４７】
ロックレバー２３６の先部が被ロック体１０２の先部を乗り越えた直後に圧縮バネ２３７の弾発力により、ロックレバー２３６とロック解除ボタン２３５は所定の位置に位置し、図７において実線で示したように、ロックレバー２３６の先部と被ロック体１０２の先部とが引っ掛かり合う。これにより、支持枠２１９と画像形成装置１００の筐体とがロックされる。
【００４８】
そして、図７において二点鎖線で示したように、ロック解除ボタン２３５を押し込むことで、ロックレバー２３６の先部と被ロック体１０２の先部との引っ掛かり合いが解かれ、その解かれた状態で支持枠２１９（脱着部２０２）を用紙搬送方向の下流側に引っ張ることで支持枠２１９と画像形成装置１００の筐体とがロックが解除される。
【００４９】
また、画像形成装置１００と脱着部２０２は、胴内から取り外した脱着部２０２を画像形成装置１００に保持可能に構成されている。具体的には、図１０に示すように、画像読み取り装置３００のコンタクトガラスを覆う開閉蓋に折り畳み可能な脚部３０１が形成され、その脚部３０１に脱着部２０２が掛かるように、脱着部２０２を画像読み取り装置３００上に載せ置く。なお、脚部３０１は、排出トレイ２１８と支持枠２１９の下段側の底面を支持する２つの脚からなるものを例示している。
【００５０】
また、図１０において二点鎖線で示したように、脱着部２０２を画像形成装置１００の側面に引っ掛けるように構成しても良い。この場合、脱着部２０２の支持枠２１９か画像形成装置１００の筐体の何れか一方にフックを設け、他方に、そのフックを引っ掛けるための穴を設ける。
【００５１】
次に、用紙後処理装置２００の用紙後処理にかかる動作の概略を、図２を参照しながら説明する。
まず、第一の上ローラ２１１と第二の上ローラ２１２が回転を開始し、これに伴って第一の下ローラ２２０と第二の下ローラ２２１が従動回転をする。
【００５２】
排出部１６３から画像形成済み用紙が排出されてくると、第一の上ローラ２１１と第一の下ローラ２２０、及び、第二の上ローラ２１２と第二の下ローラ２２１は、用紙を挟み込んで用紙送りを行なう。このとき、画像形成済み用紙にパンチ処理を行なう場合は、用紙送りを一時停止してパンチ処理を行なう。その後、用紙送りを再開する。
【００５３】
用紙の後端（用紙搬送方向上流側の端）が、第二の上ローラ２１２と第二の下ローラ２２１を抜けると、第一の戻しローラ２１３がステープルトレイ２１７の方向に移動して、ステープルトレイ２１７上で用紙を押さえる。
そして、第一の戻しローラ２１３と第二の戻しローラ２１４が回転して、用紙の後端を後端基準フェンス２３０に突き当てる。
突き当てが完了したら、第一の戻しローラ２１３と第二の戻しローラ２１４の回転を停止し、第一の戻しローラ２１３は元の位置に復帰する。この動作は、用紙が用紙綴じ枚数に達するまで繰り返される。
【００５４】
ステープルトレイ２１７に積載した用紙が、用紙綴じ枚数に達すると、ステープラ２０４はステープル処理を行なう。
ステープル処理が終わったら、従動ローラ２１５がステープルトレイ２１７の方向に移動する。そして、排出ローラ２２２が回転を開始して、その排出ローラ２２２と従動ローラ２１５で挟み込まれた用紙が排出トレイ２１８へ排出される。このとき、用紙の後端が排出ローラ２２２と従動ローラ２１５を抜けると、用紙押さえ２２８がステープルトレイ２１７の方向に揺動して用紙を押さえ込む。
【００５５】
次に、ジャム時の一連の作業について、図８〜図１０を参照しながら説明する。
図８は、図２において脱着部２０２を取り外した状態の正面図である。図９は図３において脱着部２０２を取り外した状態の左側面図である。図１０はジャム処理時の状態を模式的に示した説明図である。
【００５６】
排出部１６３まわりでジャム（用紙詰まり）が発生した場合、先ず、ロック解除ボタン２３５を押しながら脱着部２０２を用紙搬送方向の下流側に引っ張る。これにより、下側機構部２１６の従動歯車２２３、２２４と、駆動部２０５の駆動歯車２０８、２０９との噛み合いが解かれ、下側機構部２１６が駆動部２０５から離脱する。
脱着部２０２を用紙搬送方向の下流側に更に引っ張ることで、下側ガイド板２２５、下側機構部２１６、ステープルトレイ２１７、排紙トレイ、用紙押さえ２２８等、上側機構部２０６や駆動部２０５を除いた構成部が、画像形成装置１００の胴内から一気に取り外される（図８）。
取り外した脱着部２０２は、例えば、画像読み取り装置３００上の脚部３０１に脱着部２０２が掛かるように画像読み取り装置３００に載せ置く。
【００５７】
このようにして、画像形成装置１００の胴内から脱着部２０２を取り外すと、排出部１６３まわりが露出して、ユーザは排出部１６３まで完全にアクセスすることが可能となる（図８、図９）。
ユーザは、排出部１６３まわりのジャム用紙（紙詰まりした用紙）を取り除く。
なお、この画像形成装置１００は、図１０に示すように右側面部が開閉するようなっており、ジャムの状態によっては右側面部をも開いてジャム処理が行なえるようになっている。
【００５８】
ジャム処理が終わったら、筐体における抉られた部位の、脱着部２０２の取り外し取り付け方向（用紙搬送方向）と、平面視、直交する方向の側壁２１０に沿うように、脱着部２０２を用紙搬送方向の上流側に押し込む。上述したように、脱着部２０２は、用紙搬送方向の上流側に押し込むだけで、ロックレバー２３６が被ロック体１０２にロックして画像形成装置１００に固定される。また、下側機構部２１６の従動歯車２２３、２２４は、胴内に設けられた駆動歯車２０８、２０９と噛み合って、後処理動作が可能な状態となる。
【００５９】
このように本実施の形態にかかる画像形成システムＡは、ジャム処理の際、脱着部２０２を胴内から取り外すことで、少なくとも排出部１６３まわりが露出するから、ジャム処理が更にし易くなることが期待できる。しかも、用紙後処理装置２００の全体を取り外す場合と比較して重量的に軽減されるから、作業性の向上が期待できる。
また、脱着部２０２は、電気的な接続がないことからジャム処理にかかる作業性が極めて容易になる。
【００６０】
また脱着部２０２を画像形成装置１００の胴内から取り外すことで、パンチユニット２０３のパンチカス収集用容器２２６も取り出されるから、パンチカス取り出し口を別途設けなくても、パンチカスのメンテナンスも可能にしている。
【００６１】
なお、本実施の形態では、脱着部２０２に外装カバーを設けていないものを例示したが、ステープラ等、動作する構成部が露出するのは好ましくないため、通常、外装カバーを設ける。この場合、外装カバーは、脱着部２０２に取り付ける。
また、脱着部２０２を筐体における抉られた部位に脱着部２０２をスライドさせる際（脱着部２０２を胴内から取り外す際や取り付ける際）に脱着部２０２をガイドするガイド部を画像形成装置１００か脱着部２０２の何れか一方、または双方に設けても良い。
【００６２】
以上、本実施の形態にかかる画像形成システムＡを説明したが、上述した実施の形態は、本発明の好適な実施の形態の一例を示すものであり、本発明はそれに限定されるものではない。
【００６３】
例えば、本実施の形態では、脱着部２０２を図１の左方に引っ張ることで、脱着部２０２を画像形成装置１００から外すものを例示しているが、脱着部２０２を外す方向はこれに限定されない、例えば、脱着部２０２を外す方向を正面方向にしても良い。特に排紙方向が背面側から正面側へ向かう場合は、装置横のスペースをジャム処理用に大きく確保する必要がなくなるため、極めて好ましいものである。
【符号の説明】
【００６４】
Ａ  画像形成システム
１００  画像形成装置
２００  用紙後処理装置
３００  画像読み取り装置
１６３  排出部
２０１  固定部
２０２  脱着部
２０３  パンチユニット
２０４  ステープラ
２０５  駆動部
２０６  上側機構部
２０７  溝
２０８、２０９  駆動歯車
２１０  側壁
２１１  第一の上ローラ
２１２  第二の上ローラ
２１３  第一の戻しローラ
２１４  第二の戻しローラ
２１５  従動ローラ
２１６  下側機構部
２１７  ステープルトレイ
２１８  排出トレイ
２１９  支持枠
２２０  第一の下ローラ
２２１  第二の下ローラ
２２２  排出ローラ
２２３、２２４  従動歯車
２２５  下側ガイド板
２２６  パンチカス収集用容器
２２７  長穴
２２８  用紙押さえ
２２９  ジョガーフェンス
２３０  後端基準フェンス
２３１  ロック部
２３２  掛け止め部
２３３  被掛け止め部
２３４  支点部
２３５  ロック解除ボタン
２３６  ロックレバー
２３７  圧縮バネ
２３８  第一の穴
２３９  第一のピン
２４０  当て部
２４１  第二のピン
２４２  台座部
１０１  第二の穴
１０２  被ロック体
３０１  脚部
【先行技術文献】
【特許文献】
【００６５】
【特許文献１】特開２０１０−０８５４３１号公報
【特許文献２】特開２００８−１１３４０４号公報
【図１】
2014130271.tif 000003
【図２】
2014130271.tif 000004
【図３】
2014130271.tif 000005
【図４】
2014130271.tif 000006
【図５】
2014130271.tif 000007
【図６】
2014130271.tif 000008
【図７】
2014130271.tif 000009
【図８】
2014130271.tif 000010
【図９】
2014130271.tif 000011
【図１０】
2014130271.tif 000012